(57)【要約】【課題】状況の如何に関わらず、画角及び画角中心を把握することができる照明装置を提供する。【解決手段】照明装置２は、静止画の撮影時に被写体の輝度を上げるために照射を行うＬＥＤ群９を備える。そして、撮影準備時に、照明装置に発光指示を出力する撮像装置１の撮影画角に応じて、ＬＥＤ群９からいずれかのＬＥＤを選択し、撮影画角の四隅または中心、あるいは撮影画角の四隅と中心を照射する。【選択図】図３
2010128451.tif 000002
【特許請求の範囲】
【請求項１】
撮像装置からの発光指示に応じて被写体を照射する照明装置であって、複数の光源からなる発光手段と、
前記複数の光源の発光制御を行う発光制御手段と、を有し、
前記発光制御手段は、撮影準備時に、前記照明装置に発光指示を出力する前記撮像装置の撮影画角に応じて、前記複数の光源からいずれかの光源を選択し、前記撮影画角の四隅及び中心の少なくとも一方を照射するように発光制御を行うことを特徴とする照明装置。
【請求項２】
前記発光制御手段は、前記被写体に対する合焦動作時に、前記撮影画角内の前記合焦動作に用いる測距点を照射するように発光制御を行うことを特徴とする請求項１記載の照明装置。
【請求項３】
前記発光制御手段は、撮影時に、前記複数の光源のすべてを発光させるように発光制御を行うことを特徴とする請求項１または２に記載の照明装置。
【請求項４】
前記発光制御手段は、撮影時に、前記被写体に対する合焦動作時に用いる前記撮影画角内の測距点の位置に応じて、前記複数の光源のうちの発光させる光源を変更するように発光制御を行うことを特徴とする請求項１または２に記載の照明装置。
【請求項５】
前記発光制御手段は、撮影時に、前記撮影画角内の輝度分布に応じて前記複数の光源のうちの発光させる光源を変更するように発光制御を行うことを特徴とする請求項１または２に記載の照明装置。
【請求項６】
前記撮像装置は、接眼部と、前記接眼部に物体が接近しているかどうかを検知する検知手段と、を有し、
前記発光制御手段は、前記検知手段が前記接眼部から所定距離以下に物体があると検知した場合、前記撮影画角の四隅及び中心の少なくとも一方を照射するように発光していた前記複数の光源の発光をやめるように発光制御を行うことを特徴とする請求項１ないし５のいずれか１項に記載の照明装置。
【請求項７】
前記撮像装置は、撮像素子から予め設定された周期で出力される画像を逐次表示する表示手段を有し、
前記発光制御手段は、前記表示手段が撮像素子から予め設定された周期で出力される画像の逐次表示を開始すると、前記撮影画角の四隅及び中心の少なくとも一方を照射するように発光していた前記複数の光源の発光をやめるように発光制御を行うことを特徴とする請求項１ないし６のいずれか１項に記載の照明装置。
【請求項８】
複数の光源からなる発光手段と、
前記複数の光源の発光制御を行う発光制御手段と、を有し、
前記発光制御手段は、撮影準備時に、撮影画角に応じて、前記複数の光源からいずれかの光源を選択し、前記撮影画角の四隅及び中心の少なくとも一方を照射するように発光制御を行うことを特徴とする撮像装置。
【請求項９】
撮像装置からの発光指示に応じて被写体を照射する、複数の光源からなる発光手段を有する照明装置の制御方法であって、
撮影準備時に、前記照明装置に発光指示を出力する前記撮像装置の撮影画角に応じて、前記複数の光源からいずれかの光源を選択し、前記撮影画角の四隅及び中心の少なくとも一方を照射するように発光制御を行うことを特徴とする照明装置の制御方法。
【発明の詳細な説明】
【技術分野】
【０００１】
本発明は、複数の光源を備える照明装置及びその照明装置を搭載する撮像装置並びに照明装置の制御方法に関する。
【背景技術】
【０００２】
撮像装置においては、ライブビュー機能を備えるデジタルカメラを除いて、通常の撮影時は、ファインダーを使用して被写体や画角を確認するが、その場の状況や被写体によってはファインダーを使用することが困難な場合がある。
【０００３】
例えば、水中撮影時などはファインダーを覗くことができないことがあり、その場合は、画角を把握することが難しい。また、夜間や暗所などでは、ファインダーを使用することができても、光量が足り無いため画角を把握することが困難であり、撮影者が意図する画角内の位置に被写体がいるのかはフラッシュ撮影してみなければわからなかった。
【０００４】
ファインダーを使用することができなくても、画角を把握するための提案がいくつかなされている。例えば、撮像装置に備えられたＬＥＤを視認することで、自分自身の位置を確認し、自己撮影の補助とする技術がある（特許文献１参照）。
【０００５】
また、特許文献２では、撮影光学系と照射角を一致させ、画角内を効率的に照射する技術が提案されている。
【特許文献１】特開２００４−００４４５３号公報
【特許文献２】特開２００５−９１５８２号公報
【発明の開示】
【発明が解決しようとする課題】
【０００６】
しかし、上記特許文献１に提案された技術は、用途は自己撮影に限られ、さまざまな被写体に対して適用できない。
【０００７】
また、上記特許文献２に提案された技術では、画角内を効率的に照射できるものの、撮影者がファインダーを使用するか、背面液晶パネルに表示されたライブビュー画像を確認しなければ画角を認識することはできない。水中撮影時はファインダーを覗くことが難しく、暗所では、ファインダーはおろか、背面液晶パネルでも被写体の輝度が低いので、画角や被写体の認識は困難である。
【０００８】
本発明の目的は、状況の如何に関わらず、画角及び画角中心を把握することができる照明装置及び撮像装置を提供することにある。
【課題を解決するための手段】
【０００９】
上記目的を達成するために、本発明の照明装置は、撮像装置からの発光指示に応じて被写体を照射する照明装置であって、複数の光源からなる発光手段と、前記複数の光源の発光制御を行う発光制御手段と、を有し、前記発光制御手段は、撮影準備時に、前記照明装置に発光指示を出力する前記撮像装置の撮影画角に応じて、前記複数の光源からいずれかの光源を選択し、前記撮影画角の四隅及び中心の少なくとも一方を照射するように発光制御を行うことを特徴とする。
【００１０】
また、本発明の撮像装置は、複数の光源からなる発光手段と、前記複数の光源の発光制御を行う発光制御手段と、を有し、前記発光制御手段は、撮影準備時に、撮影画角に応じて、前記複数の光源からいずれかの光源を選択し、前記撮影画角の四隅及び中心の少なくとも一方を照射するように発光制御を行うことを特徴とする。
【発明の効果】
【００１１】
本発明の照明装置及び撮像装置によれば、状況の如何に関わらず、画角及び画角中心を把握することができる。
【発明を実施するための最良の形態】
【００１２】
以下、本発明を図面を参照しながら詳細に説明する。
【００１３】
図１は、本発明の実施の形態に係る撮像装置の外観図であり、（ａ）は正面図、（ｂ）は側面図、（ｃ）は背面図である。
【００１４】
図１に示すように、本実施の形態の撮像装置１のボディ中央には交換レンズ７が備えられている。撮像装置１の上方には、静止画の撮影時に被写体の輝度を上げるために照射を行う複数の光源を備える照明装置２、左上方にはレリーズボタン３が配備されている。
【００１５】
撮像装置１の背面には、画角照射ボタン４、ファインダー（接眼部）５、背面液晶パネル６、顔検知センサ８が備えられている。背面液晶パネル６は、不図示の撮像素子から予め設定された周期で出力される画像を逐次表示する、いわゆる、ライブビュー機能を有している。顔検知センサ８は、公知の投光手段と受光手段を備えており、ファインダー５に物体が接近しているかどうかを検知することができ、例えば、撮影者の顔と撮像装置１との距離が所定距離以下になったことを検知する。
【００１６】
図２は、図１における照明装置の拡大図である。
【００１７】
照明装置２は、ＬＥＤ群（複数の光源）９を備える。撮影画角、及び画角中心照射時には、例えば、ＬＥＤ群９の一部のＬＥＤ（光源）９ａ〜９ｅを発光させる。撮影画角の四隅を照射する光源は、特に図２のＬＥＤ９ａ〜９ｄの位置に限定されるものではない。
【００１８】
尚、ＬＥＤ群９のいずれの光源を発光させるかなどの発光制御を行う発光制御部は、撮像装置１が備えていてもよいし、照明装置２が備えていて撮像装置１からの発光指示に基づいてＬＥＤ群９の発光制御を行ってもよい。
【００１９】
（第１の実施の形態）
図３は、図１の撮像装置によって実行される照明制御処理の第１の実施の形態の手順を示すフローチャートである。
【００２０】
撮像装置１の電源が投入されると、ステップＳ１０１で、撮像装置１（の図示しない制御部）は、撮影画角の四隅をポインタのように照らす画角照射を行うか否かを、画角照射ボタン４の押下の有無により判断する。画角照射を行わない場合には通常撮影モードとなる。
【００２１】
図４は、図１における照明装置と被写体の関係を模式的に示す図である。
【００２２】
画角照射ボタン４が押されると、次のステップＳ１０２で、撮像装置１は、照明装置２に備えられた複数のＬＥＤ９ａ〜９ｄを発光させ、図４に示す撮影画角の四隅を照射し、撮影画角を示す画角指標１０ａ〜１０ｄを得る。また、撮影画角の中心を照射し、画角中心指標１０ｅを得てもよいし、両方の指標を得てもよい。すなわち、撮影画角の四隅及び中心の少なくとも一方を照射するようにする。また、発光させるＬＥＤの選択は、照明装置２自身で行ってもよい。
【００２３】
暗所では、被写体の輝度が低いことが想定されるので、撮影画角の中心も照射することが好ましい。照射開始後であっても、撮影者の顔と撮像装置１との距離が所定距離以下になった場合には、撮像装置１は、顔検知センサ８の検知結果によりファインダー５を使用する状態にあると判断する（ステップＳ１０３）。そして、撮像装置１は、ＬＥＤ９ａ〜９ｄ、またはＬＥＤ９ｅの照射を中止する（ステップＳ１０４）。
【００２４】
また、ライブビュー機能を持つ撮像装置１においては、撮像装置１は、ライブビュー機能を実行させた時点で、背面液晶パネル６にて撮影画角及び被写体を確認できる状態にあると判断する（ステップＳ１０３）。そして、撮像装置１は、ＬＥＤ９ａ〜９ｄ、またはＬＥＤ９ｅの照射を中止する（ステップＳ１０４）。
【００２５】
以上より、ファインダー５を覗いた姿勢を維持することが困難な水中撮影時や暗所においても、照明装置２から照射された四隅の画角指標１０ａ〜１０ｄをもとに、撮影画角を容易に認識することができる。
【００２６】
その後、ステップＳ１０５で、撮像装置１は、レリーズボタン３の半押し（ＳＷ１ＯＮ）を検知した後、ステップＳ１０６で、撮像装置１は、撮影時にストロボ発光を使用するモードが選択されているか否かを判断する（撮影時照明使用の有無を判断する）。
【００２７】
ストロボ発光を使用するモードが選択されている場合には、ステップＳ１０７で、レリーズボタン３の全押し（ＳＷ２ＯＮ）押下後の撮影において、照明装置２に備えられたＬＥＤ群９の全てのＬＥＤが発光（点灯）される。
【００２８】
撮影時に照明を使用しないモードが選択されていた場合には、ステップＳ１０８で、撮像装置１は、撮影画角の四隅を示す照射を終了し、レリーズボタン３が全押し（ＳＷ２ＯＮ）され（ステップＳ１０９）、撮影が完了する。
【００２９】
以上、本発明の第１の実施の形態によれば、水中撮影する際や暗所での撮影など悪条件下でかつ、撮影者がファインダー５を覗くことが困難な状況であっても、照明装置２によって撮影画角の四隅を示す照射を行うことにより、画角を確認することができる。そのため、撮影者の意図を反映させた所望の画角で撮影を行うことができる。
【００３０】
（第２の実施の形態）
図５は、図１の撮像装置によって実行される照明制御処理の第２の実施の形態の手順を示すフローチャートである。
【００３１】
第２の実施の形態は、撮影準備時に、撮影画角を示す四隅の照射に加え、合焦動作時に用いる測距点の位置に応じた照射を行う場合の処理手順を示すものである。
【００３２】
ステップＳ２０１からステップＳ２０４までは、第１の実施の形態におけるステップＳ１０１からステップＳ１０４と同様の処理であるため、説明は省略する。
【００３３】
撮像装置１において、通常レリーズボタン３の半押し（ＳＷ１ＯＮ）により被写体に対する合焦動作（オートフォーカス）が実行される。撮像装置１は、ステップＳ２０５でレリーズボタン３の半押しを検知した後、オートフォーカスがスタートする。尚、オートフォーカスは、撮像装置１内の不図示のＡＦ制御部により交換レンズ７のフォーカシングを制御することで行う。また、オートフォーカスは、撮影画角内に設けられた複数の測距点のうちのいずれかの測距点に対して行われるものであり、オートフォーカスに用いられる測距点は、撮影画角内の被写体の位置や撮影者の操作などに応じて変わる。
【００３４】
この後、ステップＳ２０６では、撮像装置１は、複数の測距点のうち、選択された測距点の位置に応じて、照明装置２に備えられた複数のＬＥＤ９ａ〜９ｄを発光（照射）させる。
【００３５】
ステップＳ２０７からステップＳ２１０は、第１の実施の形態におけるステップＳ１０６からステップＳ１０９に相当する。
【００３６】
以上のように、第２の実施の形態においては、撮影準備時において、第１の実施の形態の処理に加え、合焦に適用された測距点も照射する。従って、撮影画角及び合焦に適用された測距点の位置を確認することができるので、より撮影者の意図を反映させた撮影を行うことが可能となる。
【００３７】
（第３の実施の形態）
図６は、図１の撮像装置によって実行される照明制御処理の第３の実施の形態の手順を示すフローチャートである。
【００３８】
第３の実施の形態は、撮影時に、複数ある測距点のうち、合焦点として適用された測距点の位置に応じて点灯させる光源（ＬＥＤ）を選択する場合の処理手順を示すものである。
【００３９】
ステップＳ３０１からステップＳ３０７までは、第２の実施の形態におけるステップＳ２０１からステップＳ２０７と同様の処理であるため、説明は省略する。
【００４０】
ステップＳ３０８では、撮像装置１は、レリーズボタン３の全押し（ＳＷ２ＯＮ）押下後の撮影において、複数ある測距点のうち、実際に合焦点として適用された測距点の位置に応じて、照明装置２に備えられたＬＥＤ群９より点灯させるＬＥＤを選択する。そして、限定された範囲の発光を行う。
【００４１】
ステップＳ３０９、ステップＳ３１０は、第１の実施の形態におけるステップＳ１０８、ステップＳ１０９にそれぞれ相当する。
【００４２】
第１、第２の実施の形態では、撮影時に照明を用いる場合には、全ての光源を点灯させている。第３の実施の形態では、測距点の位置（主に主被写体の位置）に応じて点灯させる光源を選択して発光させることで、主被写体の輝度を上げつつも、全体の発光量自体を少なくすることができるため、省電力化を図ることができる。
【００４３】
尚、第１、第２の実施の形態で、照明装置２に備えられたＬＥＤ群９のＬＥＤを発光（点灯）させる際に必ずしも全てのＬＥＤを発光（点灯）させなくてもよく、必要とする発光量に応じて発光（点灯）させるＬＥＤの数を変更しても構わない。
【００４４】
（第４の実施の形態）
図７は、図１の撮像装置によって実行される照明制御処理の第４の実施の形態の手順を示すフローチャートである。
【００４５】
第４の実施の形態は、撮影時には画面の輝度分布に応じて点灯させる光源を選択する場合の処理手順を示すものである。
【００４６】
ステップＳ４０１からステップＳ４０４、及びステップＳ４０７は、第１の実施の形態におけるステップＳ１０１からステップＳ１０４、及びステップＳ１０６と同様の処理であるため、説明は省略する。
【００４７】
ステップＳ４０５では、撮像装置１は、レリーズボタン３の半押し（ＳＷ１ＯＮ）を検知した後、ステップＳ４０６で、撮影画角における輝度分布を取得する。撮影画角における輝度分布は、撮像装置１内の不図示の測光部によって求められる。
【００４８】
ステップＳ４０８では、撮像装置１は、レリーズボタン３の全押し（ＳＷ２ＯＮ）押下後の撮影において、撮影画角の輝度分布に応じて、照明装置２に備えられたＬＥＤ群９より点灯させるＬＥＤを選択し、限定された範囲の発光を行う。これにより、黒潰れなどが起き難い、より階調バランスの取れた自然な撮影を行うことができる。
【００４９】
ステップＳ４０９、ステップＳ４１０は、第１の実施の形態におけるステップＳ１０８、ステップＳ１０９にそれぞれ相当する。
【００５０】
第４の実施の形態においても、点灯させる光源を選択させて発光させることで、撮影画角全体の輝度バランスを取りつつも、全てのＬＥＤ群９を発光させるよりも全体の発光量自体を少なくすることができるため、省電力化を図ることができる。
【００５１】
尚、上述した４つの実施の形態における照明装置２は、撮像装置１に装着される外部ストロボであってもよいし、撮像装置１に備えられた内蔵ストロボであってもよい。
【図面の簡単な説明】
【００５２】
【図１】本発明の実施の形態に係る撮像装置の外観図である。
【図２】図１における照明装置の拡大図である。
【図３】図１の撮像装置によって実行される照明制御処理の第１の実施の形態の手順を示すフローチャートである。
【図４】図１における照明装置と被写体の関係を模式的に示す図である。
【図５】図１の撮像装置によって実行される照明制御処理の第２の実施の形態の手順を示すフローチャートである。
【図６】図１の撮像装置によって実行される照明制御処理の第３の実施の形態の手順を示すフローチャートである。
【図７】図１の撮像装置によって実行される照明制御処理の第４の実施の形態の手順を示すフローチャートである。
【符号の説明】
【００５３】
１  撮像装置
２  照明装置
３  レリーズボタン
４  画角照射ボタン
５  ファインダー
６  背面液晶パネル
７  交換レンズ
８  顔検知センサ
９  ＬＥＤ群
１０ａ〜１０ｄ  画角指標
１０ｅ  画角中心指標
【図１】
2010128451.tif 000003
【図２】
2010128451.tif 000004
【図３】
2010128451.tif 000005
【図４】
2010128451.tif 000006
【図５】
2010128451.tif 000007
【図６】
2010128451.tif 000008
【図７】
2010128451.tif 000009